(57)【要約】【課題】高画質を追求する手段として、ＰＷＭ機能を１画素に対して複数回用いて、１画素の階調数を上げる光書込装置、画像形成装置の提供。【解決手段】光ビームの被走査面上における走査位置を副走査方向に所定ピッチずつ移動して主走査方向に走査する記録方式により主走査方向の書き出しの基準位置を検出する光検出素子からの検出信号から主走査の書出位置を決定する手段と、１画素の画像情報を複数クロック分連続して繰り返し出力を行う手段と、前記複数クロックのクロック数に対応して画像位置情報を生成する手段と、複数回繰り返し出力される1画素の画像情報を各クロックに対応した画像情報に分割する手段と、前記画像位置情報に従って分割した画像の位相情報を決定する手段と、を有し、分割した前記画像情報を前記クロック毎にPWM変調を行う光書込装置を主たる発明とする。【選択図】図１
2007152600.tif 000002
【特許請求の範囲】
【請求項１】
光ビームの被走査面上における走査位置を副走査方向に所定ピッチずつ移動して主走査方向に走査する記録方式により主走査方向の書き出しの基準位置を検出する光検出素子からの検出信号から主走査の書出位置を決定する手段と、１画素の画像情報を複数クロック分連続して繰り返し出力を行う手段と、前記複数クロックのクロック数に対応して画像位置情報を生成する手段と、複数回繰り返し出力される1画素の画像情報を各クロックに対応した画像情報に分割する手段と、前記画像位置情報に従って分割した画像の位相情報を決定する手段とを有し、分割した前記画像情報を前記クロック毎にＰＷＭ変調を行うことを特徴とする光書込装置。
【請求項２】
前記分割は前記分割する画像情報の位相データと、前記位置情報とに基づいて前記位相データを乗せる前記分割した画像情報を選択することを特徴とする請求項１に記載の光書込装置。
【請求項３】
前記分割した画像情報の各々には、決定された濃度情報が付加されることを特徴とする請求項１又は２に記載の光書込装置。
【請求項４】
請求項１乃至３のいずれか１項に記載の光書込装置を有する画像形成装置。
【発明の詳細な説明】
【技術分野】
【０００１】
本発明は、半導体レーザを用いて、光書込みを行う光書込装置およびこれを有するデジタル複写機などの画像形成装置に関する。
【背景技術】
【０００２】
従来、例えば特許文献１には、光ビームの発光周波数を変更することなく且つ濃度ムラも生じさせることなく、低密度入力データと各印刷モードに対処することを課題として、光ビームを走査することによって像担持体上に画像を形成する画像形成装置において、画像データのドット密度を高密度化する画像密度変換処理部を有する画像処理装置と、パルス幅変調部を有する光ビーム制御装置とを備え、画像密度変換処理部は入力画像データを主走査方向に解像度をｎ倍し、連続するｎ個のデータによる連続発光時間の総和が入力画像の１データ当りの発光時間に等しくなるように、ｎ倍密度変換処理された各ドットデータにｍ階調のパルス幅データを与える画像形成装置が記載されている。
また特許文献２には、画素単位に量子化されたレーザビームを走査することにより可視画像または感光体上に静電潜像を記録する画像記録装置において、記録対象画素に隣接する画素の画像データに基づいて記録対象画素に対する記録位置を、１画素区間内の記録位置の中から一つ選択する記録位置選択手段を備えていることを特徴とする画像記録装置の発明が記載されている。
また特許文献３には、各画素毎の多階調入力画像データに対応したパルス状の画像濃度信号に基づいてビーム走査ユニットのビーム点灯若しくは消灯を行うことにより感光体上に形成された潜像を現像手段にて現像する画像形成装置において、各画素の入力画像データの濃度階調数を所定の閾値で区分することにより入力画像データ濃度情報を画素分割に伴うサブ画素数に対応する画像濃度コードとして生成する濃度コード生成手段と、入力画像データの濃度階調数と可視像化された記録画素濃度との関係が示される非線形な現像特性曲線を線形なものに補正すべく、上記画像濃度コードのパルス幅を変調する多値変調手段と、を備えたことを特徴とする画像記録装置の発明が記載されている。
【０００３】
さらに特許文献４には、文字などのエッジのギャザーをスムージングし、さらに細線および孤立ドットを十分に再現して、再現画像の高画質化を目的として、「画像データは、画素ウインドウ走査回路に入力される。画素ウインドウ走査回路は、中心画素を被処理画素とする７×７画素の画像データを出力する、微画素発生回路は、中心画素１画素の入力データを８個の微画素データに変換しパラレルに出力する。微画素発生回路は、再現画像のエッジがスムーズになるように、または細線の太りや細りが無いように、あるいは、孤立ドットの消去やつぶれが無いように入力画像がプリンタで再現できるように、中心画素およびその周辺画素データに基づいて主走査方向の８個の微画素データを発生する、パラレル−シリアル変換回路は、パラレルに入力される８個の微画素データをシリアルデータ列に変換して、レーザ変調信号を出力する」構成が記載されている。
このように、上記した従来技術では、像担持体を形成する各画素のドットを高密度化するために光ビームを制御する点に着目した技術が採用されており、たとえば主走査１２００ｄｐｉ出力のエンジン部にコントローラから６００ｄｐｉの画像が入力された場合において、従来では、１２００ｄｐｉのデータを連続して２ドット形成することにより擬似的に６００ｄｐｉ画像として出力してきたが、パルス生成において、２ｄｏｔを使って１ｄｏｔの階調性を上げようとする技術に着目したものではなかった。
【特許文献１】特開２００２−１１３９０２公報
【特許文献２】特開平２−２８７４６９号公報
【特許文献３】特開平３−２２７５３号公報
【特許文献４】特開平６−１６９３９９号公報
【発明の開示】
【発明が解決しようとする課題】
【０００４】
光書込装置を用いたデジタル複写機における画素の階調数は、近年の微細化技術により高階調化が進んでいる。階調数の増加により、画像表現できる画素数が増加した結果、高画質化が図れることになる。
本発明は、上記の高画質を追求する手段として現存するＰＷＭ（Pulse Width Modulation）機能（ＩＣ）を１画素に対して複数回用いることにより、１画素の階調数を上げることを目的とする。
本発明の光書込装置においては、１画素の画像情報を複数ＣＬＫ連続して繰り返し出力を行う手段を有し、前記複数ＣＬＫに対応して画像位置情報を生成認識する手段を有し、複数回繰り返し出力される１画素の画像情報を各ＣＬＫに対応した画像情報に分割する手段を有し、前記画像位置情報に従って分割した画像の位相情報を決定する手段を有し、分割した画像情報をＣＬＫ毎にＰＷＭ変調を行うことを特徴としているので、これにより現存するＰＷＭ仕様を超えた階調表現が可能となり、高画質とすることができる。
【課題を解決するための手段】
【０００５】
上記の課題を解決するために、請求項１に記載の発明は、光ビームの被走査面上における走査位置を副走査方向に所定ピッチずつ移動して主走査方向に走査する記録方式により主走査方向の書き出しの基準位置を検出する光検出素子からの検出信号から主走査の書出位置を決定する手段と、１画素の画像情報を複数クロック分連続して繰り返し出力を行う手段と、前記複数クロックのクロック数に対応して画像位置情報を生成する手段と、複数回繰り返し出力される１画素の画像情報を各クロックに対応した画像情報に分割する手段と、前記画像位置情報に従って分割した画像の位相情報を決定する手段とを有し、分割した前記画像情報を前記クロック毎にＰＷＭ変調を行うことを特徴とする。
また、請求項２に記載の発明は、前記分割は前記分割する画像情報の位相データと、前記位置情報とに基づいて前記位相データを乗せる前記分割した画像情報を選択する請求項１に記載の光書込装置を特徴とする。
また、請求項３に記載の発明は、前記分割した画像情報の各々には、決定された濃度情報が付加される請求項１又は２に記載の光書込装置を特徴とする。
また、請求項４に記載の発明は、請求項１乃至３のいずれか１項に記載の光書込装置を有する画像形成装置を特徴とする。
【発明の効果】
【０００６】
本発明の光書込装置は、１画素の画像情報を複数ＣＬＫ連続して繰り返し出力を行う手段を有し、前記複数ＣＬＫに対応して画像位置情報を生成認識する手段を有し、複数回繰り返し出力される１画素の画像情報を各ＣＬＫに対応した画像情報に分割する手段を有し、前記画像位置情報に従って分割した画像の位相情報を決定する手段を有し、分割した画像情報をＣＬＫ毎にＰＷＭ変調を行うことを特徴としているので、これにより現存するＰＷＭ仕様を超えた高画質の階調表現が可能である。またこのような光書込装置を有する画像形成装置により、高画質の階調表現が可能な画像を形成することができる。
【発明を実施するための最良の形態】
【０００７】
以下、図面を参照して、本発明の実施形態を詳細に説明する。
上記目的を達成する為に本発明は、光ビームの被走査面上における走査位置を副走査方向に所定ピッチずつ、ずらしながら主走査方向に走査する記録方式において、１画素の画像情報を複数のＣＬＫ（クロック）を連続して繰り返し出力を行う手段と、前記複数ＣＬＫに対応して画像位置情報を生成認識する手段と、複数回繰り返し出力される１画素の画像情報を各ＣＬＫに対応した画像情報に分割する手段と、前記画像位置情報に従って分割した画像の位相情報を決定する手段と、分割した画像情報をＣＬＫ毎にＰＷＭ変調を行う制御手段を有する。
図１はデジタル複写機の動作系を操作するための操作系の概略ブロック構成図である。この構成に示すデジタル複写機は、図１に示すように、スキャナ部とプリンタ部２と、操作部１３とを有し、原稿画像を読み取るスキャナ部１は読み取った信号をＡ／Ｄ変換して黒オフセット補正、シェーディング補正および画素位置補正等を行うＶＰＵ（Visual Processing Unit）３と、画像処理を行うＩＰＵ（Image Processing Unit）４とを有して構成され、プリンタ部はプリンタ部の制御を行う書込制御ＡＳＩＣ５と、半導体レーザの制御を行うＬＤ制御部６と、ドラム上に静電潜像データの結像を行うＬＤアレイ（以下単に「ＬＤ」ということがある）２１とを有して構成され、操作部は装置全体の制御を実行するＣＰＵ７と、制御プログラムが格納されているＲＯＭ８と、制御プログラムが一時的に使用するＲＡＭ９と、読み取った画像を記憶する画像メモリ１２と、各装置間のデータのやりとりを行う内部システムバス１０と、前記システムバス１０とＩＰＵ間のインターフェースを行うＩ／Ｆ１１と、ユーザが指示を与える操作部１３等により構成されている。
【０００８】
図２は、書込ユニットとその制御部のブロック図である。ＬＤ２１より前方に出射されたレーザビームは図示しないコリメータレンズによりコリメートされて、回転多面鏡からなる偏向器２２により偏向され、ｆθレンズ２３により感光体ドラム２４の帯電器で一様に帯電された感光体ドラム表面に結像されてその結像スポットが偏向器２２の回転で感光体２４の軸方向に反復して移動すると同時に感光体ドラム２４が回転する。光検出器２５は情報書込領域外に設けられ、偏向器２２で偏向されたレーザビームを検出して同期検知信号を発生する。書込制御ＡＳＩＣ４は情報信号を半導体レーザ駆動制御部５内のＬＤ駆動部２７に印加（入力）し、そのタイミングは光検出器２５からの同期信号により制御する。
ＬＤ駆動回路２７はＧＡＶＤ４からの情報信号により、ＬＤ２１を駆動させて感光体ドラム２４上に静電潜像を形成させ、この静電潜像は現像器で現像されて転写器で転写紙等に転写される。また、ＬＤアレイ２１内の発光部から後方に出射されるレーザビームは光受光部（ＰＤ：Photo Detector）２６に入射してその光強度が検出され、その受光信号がＡＰＣ制御部２８に供給される。ＡＰＣ制御部２８は光受光器（ＰＤ）２６の出力信号に応じて半導体レーザ駆動回路２７を制御してＬＤ２１の発光素子の出力光量を一定に制御する（ＡＰＣ制御）。具体的にはＬＤ２１の発光素子の駆動電源をそれぞれの受光信号により各発光素子の出力光量が一定になるように調整して保持する。光検出器２９は、有効画像領域外の後方側に配置され、光検出器２５と２９をペアで使用して、この検知器へ光が走査される時間差を利用して、ｆθレンズの全体の誤差を求める情報とする。
【０００９】
図３は、書込制御ＡＳＩＣ４の概略構成を示すブロック図である。書込制御ＡＳＩＣ（Application Specific Integrated Circuit）４は、ＩＰＵ４からの画像データを速度変換及びフォーマット変換を行うメモリブロック３１と、このメモリブロック３１からの画像データを画像処理する画像処理部３２と、画像処理部３２からの画像データをγ変換し、Ｐセンサパターンを付与する等の処理を行う出力データコントロール部３４とからなっている。
メモリブロック３１は、図示しない前段ＡＳＩＣから転送される画像データを一旦格納して、画像処理部３２で要求される画像フォーマットに変換し、これを画像処理部３２に供給する。特に本実施例においては、前段ＡＳＩＣからの入力画像１ｄｏｔを、複数ＣＬＫにより処理を行うので、２ＣＬＫで処理を行う場合には、メモリブロック３１から画像が吐き出される際のＣＬＫ周波数が２倍となる。例えば、入力画像で６００ｄｐｉの場合には、主走査１２００ｄｐｉのＣＬＫ周波数（６００ｄｐｉの２倍の周波数）で処理が行われる。
図５は、メモリブロック３１の動作例を説明するための図である。この動作は、以下に説明するように実行される。
１．転送ＣＬＫにより主走査６００ｄｐｉの画素がＩＰＵ４から書込制御ＡＳＩＣ５に転送される。
２．書込制御ＡＳＩＣ内のＲＡＭに格納された画像データは、書込ＣＬＫで２ＣＬＫ連続して、後段に供給される。
この時、書込ＣＬＫ周波数は、６００ｄｐｉの２倍のＣＬＫ（２倍のクロック周波数：図６（ａ）の書込ＣＬＫ（動作ＣＬＫ）参照）が使用される（すなわち図５の中央部のＳＲＡＭに対して左側の転送データ６００ｄｐｉでは４周期分の周波数の転送クロックが描かれているが、ＳＲＡＭに対して右側の画像データ６００ｄｐｉでは８周期分のすなわち、１２００ｄｐｉの周波数の書込ＣＬＫが使用されている。）。
３．連続した画像データを出力する際に、各書込ＣＬＫ毎に画像データが何番目であるかを示す位置情報を付与する。
図５に示すように、ここでは、２ＣＬＫの転送により、「０」が１番目、「１」が２番目であることを示す。
【００１０】
図４は、書込制御ＡＳＩＣ４内の出力データコントロール部３４の内部ブロック構成図である。図４に示すように、書込制御ＡＳＩＣ４内の出力データコントロール部３４は、まず、画像処理部３２から入力されたデータに、プロセス条件を決定するデータ取得の為に、図２に示す感光体ドラム２４上に所定の現像濃度にするようにトナーをのせる為のＰセンサパターンを付与するＰパターンブロック（Ｐセンサパターンブロック）４１と、データの重みを変化させるγ変換ブロック４２と、ＬＤの光量を一定に保つためのＡＰＣ動作タイミングに同期して画像を付与するＡＰＣブロック（Auto Power Controller）４３と、各ＬＤの発光ドット数を計測する画素カウントブロック３５と、同期検出用の発光データを付与するＬＤｏｎ／ｏｆｆブロック４４と、画像データのＰＷＭ（Pulse Width Modulation）制御を行うＰＷＭ制御部（Pulse Width Modulation Controller）４６とからなる。ゲート信号生成部４７は内部に主走査カウンタ部４８を有し、この主走査カウンタ部４８からのカウンタを参照して各処理に必要となるゲート信号の生成を行う。クロック生成部４９は、内部にＰＷＭ制御部４６とＰＬＬ（Phase Locked Loop）回路４９とを有し、ＰＷＭ制御部４６は画像データをＰＷＭによる制御を行い、クロック生成部は画像書込み制御の際に使用する書込みクロックを出力する。なおＰセンサパターンブロック４１〜４４、画素カウンタ３５、およびゲート信号生成部４７、主走査カウンタ４８は、クロック生成部から出力される書込みＣＬＫにより動作を行う。
また主走査カウンタ４８は、有効画像領域外の前後に配置された図２に示す検出器２５、２９によるレーザビームの検出時点間の書込ＣＬＫ数、すなわちレーザビームが光検出器２５に達してから２９に達するまでのＣＬＫの数をカウントし、そのカウント数を図１に示すＣＰＵ７へ出力する。そのカウント値がｆθレンズ２３の全体の誤差を求める情報となる。ＣＰＵ７は、主走査カウンタ４８からのカウント値に基づいて１主走査当りのクロック信号の出力回数を決定し、これ（この周波数のｎ倍）を書込み制御ＡＳＩＣ５内の書込みクロック信号発生器に設定する。
【００１１】
図６に特に本発明で使用されるγ変換ブロック４２での詳細な動作の説明を示す図である。
画像処理部３２から入力された画像データは、図６（ａ）に示す様に画像データの書込ＣＬＫで２ＣＬＫ分が連続して転送される。この時、位置情報も一緒に転送される。図６に示すように、本動作例において画像データ１つ（１画素分）が２分割される例を説明すると、「０」が画素の左部分であることを示し、「１」が右部分であることを示している。γ変換部４２において、画像データ情報と位置情報を基に、転送された画素情報（画素信号：画像データ１個分）の分割を行い、更に、画素位相情報と位置情報に対応して、各ＣＬＫ毎に位相情報の作成を行う（図６の（ｂ）〜（ｄ）参照）。
図６（ａ）に示す１つの画像データ１個分を２つに分割する場合、その分割した２つ（左と右）のうちの１つ、すなわち左右の分割画像データのどちらかに位相（位相データ）を設ける場合には、濃度５０％以上では位相（位相データ）のある側のＣＬＫ部を１００％とし、残りの濃度を分割した残りの方へ割振る。また濃度が５０％未満の場合には、その値を左右の分割画像データの位相（位相データ）のある側へ割振る。
また中モード時（中寄せ）においては、転送画素を略半分に分割し、位相情報「０」の時には右寄せにし、位相情報「１」の時には、左寄せとすることで、２ＣＬＫで６００ｄｐｉの表現を行う。
本動作例においては、１ＣＬＫでの表現可能な階調数が３２階調のＰＷＭ機能を使用した例で説明したが、この階調数に合わせて、画像データの濃度重みを変更することで、他種のＰＷＭ機能への対応が可能になる。
【００１２】
図１０は、３２階調のＰＷＭ機能を使用して、６４階調を左モードで実現した時のイメージ図である。また同様に、図１１〜１２は、それぞれ、右モードおよび中モードで３２階調のＰＷＭ機能を使用して、６４階調を実現した時のイメージ図である。
本動作例においては、書込制御ＡＳＩＣに供給される画素を２ＣＬＫで表現することによって、１ＣＬＫで表現できる３２階調を倍、すなわち３２階調×２＝６４階調により表現しているが、さらに書込みＣＬＫを４ＣＬＫで表現することとすると、３２×４＝１２８階調での表現も可能となる。
図１３に、図６での動作を実現するＲＴＬ（Register Transfer Lebel）による記載例を示す。
本例においては、２ＣＬＫ連続で供給される濃度情報と位相情報とを、ＣＬＫの前後に分割して処理を行い、３２階調×２ＣＬＫのデータに変換するようにしている。濃度データにおいては、基の画像濃度を２分割し、前後に割振って、特に濃度テーブル等を持たずに動作を行うことができる。図１３に示すＲＴＬによる記述における概略を以下に説明する。
【００１３】
＝信号説明＝
「ｄａｔａｄｎｃｏｄｅ［５：０］」は、基の画素の濃度データを表す。
「ｅｌｓｅ  ｉｆ（ｍｏｄｅ６４＿ｒ）」は、６４階調モードが設定されていた場合、ここでその処理を実行する。次いで、「ｃａｓｅｘ（｛ｄａｔａ＿ｉｎ［７：５］，ｌｃｏｕｎｔｌｓｂ｝）」は、位相データ（ｄａｔａ＿ｉｎ［７：６］）、濃度データの最上位ｂｉｔ（ｄａｔａ＿ｉｎ［５］、分割するときの左右どちらに対して処理するか指定（ｃｏｕｎｔｌｓｂ：２ＣＬＫの左右を認識する信号）条件を示す。
そして、それに続く「４’ｂ００＿０＿０：ｄａｔａｄｎｃｏｄｅ［５：０］←｛１’ｂ０，ｄａｔａ＿ｉｎ［４：０］｝」〜「４’ｂ  ｂ００＿１＿１：ｄａｔａｄｎｃｏｄｅ［５：０］←｛１’ｂ０，ｄａｔａ＿ｉｎ［４：０］｝」までは、上記条件でこの全４行で左寄せでの画像の濃度データの処理を、「４’ｂｘ１＿ｘ＿０：ｄａｔａｄｎｃｏｄｅ［５：０］  」〜「４’ｂｘ１＿ｘ＿１：ｄａｔａｄｎｃｏｄｅ［５：０］」までは中モードでの画像の濃度データの処理を、「４’ｂ１０＿０＿０：ｄａｔａｄｎｃｏｄｅ［５：０］  」〜「４’ｂ１０＿１＿１：ｄａｔａｄｎｃｏｄｅ［５：０］」までは右寄せでの画像の濃度データの処理を、それぞれ実行する。
また「ｄａｔａｐｈｃｏｄｅ＿ｓｕｂ［１：０］」は、基の画素の位相データを表す。
「ｅｌｓｅ  ｉｆ（ｍｏｄｅ６４＿ｒ）」は、６４階調モード時に位相データの組みなおしの処理を実行する。
「ｃａｓｅｘ（｛ｄａｔａ＿ｉｎ［７：６］，ｃｏｕｎｔｌｓｂ｝）」は、６４階調モードが設定されていた場合、ここで分割した左右の画素に対して、位相データの組みなおしを実行する。
また「３’ｂ００＿０：ｄａｔａｐｈｃｏｄｅ＿ｓｕｂ［１：０］←２’ｂ００；」〜
「３’ｂ  ｂ００＿１：ｄａｔａｐｈｃｏｄｅ＿ｓｕｂ［１：０］←２’ｂ００；」までは左モードの時は、左右画素共に左寄せを表し、「３’ｂｘ１＿０：ｄａｔａｐｈｃｏｄｅ＿ｓｕｂ［１：０］」←「２’ｂ１０；」は、中モードの時は、左側画素の右寄せを表し、「３’ｂｘ１＿１：ｄａｔａｐｈｃｏｄｅ＿ｓｕｂ［１：０］←２’ｂ００；」は、中モードの時は、右側画素の左寄せを表し、「３’ｂ１０＿０：ｄａｔａｐｈｃｏｄｅ＿ｓｕｂ［１：０］←２’ｂ１０；」〜「３’ｂ１０＿１：ｄａｔａｐｈｃｏｄｅ＿ｓｕｂ［１：０］←２’ｂ１０；」までは、右モードのときは、左右画素共に右寄せを、それぞれ表す。
「ｄａｔａｐｈｃｏｄｅ＿ｓｕｂ［１：０］←ｄａｔａ＿ｉｎ［７：６］；」は、３２階調の時にはそのままにする。
【００１４】
まずＩＰＵ４から転送された画像データを書込み制御ＡＳＩＣ内のメモリブロック３１に転送ＣＬＫと共に一旦格納する（Ｓ１）。基画像が６００ｄｐｉで６４階調の画像を潜像化する際に、６００ｄｐｉ時で潜像を形成する時に対して、６４階調で潜像化するときのＣＬＫのｎ倍（この例では２倍）にする（Ｓ２）。
階調が６４階調の場合、濃度を分割する（Ｓ３）。画像データ中の位相データ、濃度データの最上位ｂｉｔ、ｎが２の時に左右のどちらに対して処理するか指定する（Ｓ４）。指定された右寄せ、中寄せおよび左寄せのいずれかの処理を実行する（Ｓ５）。階調が６４階調の場合、分割した左右の画素に対し位相データを組みなおす（Ｓ６）。左寄せ、中寄せまたは左寄せであるかにより、それぞれ、組みなおしを行う。基本的には分割した画像データの位相は、分割前の位相データが反映（分割前と略同一）される。
【図面の簡単な説明】
【００１５】
【図１】デジタル複写機の動作系を操作するための操作系の概略ブロック構成図。
【図２】書込ユニットとその制御部のブロック図。
【図３】書込制御ＡＳＩＣの概略構成を示すブロック図。
【図４】書込制御ＡＳＩＣの出力データコントロール部の内部ブロック構成図。
【図５】メモリブロックの動作例を説明するための図。
【図６】本発明で使用されるγ変換部での詳細な動作の説明図。
【図７】図６の（ｂ）に示す左モード（左寄せして分割した）３２階調のＰＷＭ機能を使用して６４階調を実現した図。
【図８】図６の（ｄ）に示す右モード（右寄せして分割した）３２階調のＰＷＭ機能を使用して６４階調を実現した図。
【図９】図６の（ｃ）に示す中モード（中央で分割した）３２階調のＰＷＭ機能を使用して６４階調を実現した図。
【図１０】３２階調のＰＷＭ機能を使用して、６４階調を実現した時の左寄せモードのイメージ図。
【図１１】３２階調のＰＷＭ機能を使用して、６４階調を実現した時の右寄せモードのイメージ図。
【図１２】３２階調のＰＷＭ機能を使用して、６４階調を実現した時の中モードのイメージ図。
【図１３】図６での動作を実現するＲＴＬ（Register Transfer Lebel）による記載を示すプログラムの例を示す図。
【符号の説明】
【００１６】
１  スキャナ部、２  プリンタ部、３  ＶＰＵ（Visual Processing Unit）、４  ＩＰＵ（Imaging Processing Unit）、５  書き込み制御ＩＳＩＣ、６  ＬＤ制御部、７  ＣＰＵ（Central Processing Unit）、８  ＲＯＭ（Read Only Memory）、９  ＲＡＭ（Random Access Memory）、１０  内部システムバス、１１  内部システムバスとＩＰＵ間のＩ／Ｆ、１２  画像メモリ、１３  操作部、２１  ＬＤアレイ
【図１】
2007152600.tif 000003
【図２】
2007152600.tif 000004
【図３】
2007152600.tif 000005
【図４】
2007152600.tif 000006
【図５】
2007152600.tif 000007
【図６】
2007152600.tif 000008
【図７】
2007152600.tif 000009
【図８】
2007152600.tif 000010
【図９】
2007152600.tif 000011
【図１０】
2007152600.tif 000012
【図１１】
2007152600.tif 000013
【図１２】
2007152600.tif 000014
【図１３】
2007152600.tif 000015